(57)【要約】【課題】一般家庭でのテレビ番組放映においてユーザーが視聴している時にユーザーがもう一度視聴したい部分を再生できさらにその再生から現在の放映を見逃すことないテレビ放映装置を実現する。【解決手段】現在のテレビ信号情報を一時的に所定時間蓄積するテレビ信号蓄積部設けておき、ユーザーがもう一度視聴したい部分が出てきたときにこのテレビ信号蓄積部に蓄積してある情報を再生すると共に、蓄積している情報を早送り再生し、現在のテレビ信号に追いつかせてユーザーが放映を見逃すことをなくす。【選択図】  図１
2006067200.tif 000002
【特許請求の範囲】
【請求項１】
テレビ受信機においてテレビ信号を所定時間蓄積する蓄積手段を有し、さらにユーザーが現在受信中のテレビ受信情報に対して現時点よりさかのぼって所望の所定時間前から所望時間範囲での再生を要求できる所望再生選択手段、前記所望再生選択手段に応じて前記蓄積された信号をユーザーが選択する所定時間前から所望時間範囲を再生する再生手段、前記ユーザーが選択した時間前から所望時間範囲再生後所定の時間で現在のテレビ放送のテレビ信号に追いつくために前記再生手段は早送り再生手段を有していることを特徴とするテレビ受信機
【請求項２】
前記早送り再生手段は画像は早送りであり、音声は音声部分を一部間引く間引き手段あるいは、音声再生速度を早くする音声再生速度アップ手段を有することを特徴とする特許請求範囲第１項記載のテレビ受信機
【請求項３】
前記音声再生速度アップ手段は音声ピッチが元の音声と変わらないように変換する音声ピッチ変換手段を有していることを特徴とする特許請求範囲第２項記載のテレビ受信機
【請求項４】
前記テレビ受信機はＣＡＴＶ、デジタル衛星放送、デジタル地上波放送、インターネットなどのコンピュータネットワークを通じて伝送される画像ストリームの少なくとも一つを受信する手段を備えたことを特徴とする特許請求範囲第１項記載のテレビ受信機
【請求項５】
前記テレビ信号を所定時間蓄積する蓄積手段の所定時間は１秒から５分であることをことを特徴とする特許請求範囲第１項記載のテレビ受信機
【請求項６】
前記ユーザーが現時点より所望の所定時間前からの再生を要求できる所望再生選択手段の選択する所定時間は１秒から５分であることを特徴とする特許請求範囲第１項記載のテレビ受信機
【請求項７】
前記ユーザーが選択した所定時間前から所定の時間で現在のテレビ放送のテレビ信号による映像（音声含む）に追いつくために前記早送りによる再生手段の所定時間は５秒から５０分であることを特徴とする特許請求範囲第１項記載のテレビ受信機
【請求項８】
前記テレビ信号を所定時間蓄積する蓄積手段は一時的蓄積であることを特徴とする特許請求範囲第１項記載のテレビ受信機
【請求項９】
前記テレビ信号を所定時間蓄積する蓄積手段はハードディスクあるいは、固体メモリ（半導体メモリ）であることを特徴とする特許請求範囲第９項記載のテレビ受信機
【請求項１０】
前記テレビ信号を所定時間蓄積する蓄積手段はユーザーが現在視聴している番組を蓄積することを特徴とする特許請求範囲第１項記載のテレビ受信機
【請求項１１】
前記ユーザーが現在受信中のテレビ受信情報に対して現時点よりさかのぼって所望の所定時間前からの再生を要求した部分を一時的蓄積ではなく不揮発性蓄積を行うことを特徴とする特許請求範囲第８項記載のテレビ受信機
【請求項１２】
前記再生手段は画像変形手段を有していることを特徴とする特許請求範囲第１項記載のテレビ受信機
【請求項１３】
前記画像変形手段は画像の任意の部分を拡大あるいは縮小し画像再生することを特徴とする特許請求範囲第１２項記載のテレビ受信機
【請求項１４】
前記ユーザーが選択する所定時間前から再生する再生手段はユーザーの所望の範囲時間をユーザーの所望の再生速度で再生されることを特徴とする特許請求範囲第１項記載のテレビ受信機
【請求項１５】
前記ユーザーの所望の再生速度は通常速度再生、あるいはユーザーの所望速度の早送り再生、あるいはユーザーの所望速度のスローモション再生であることを特徴とする特許請求範囲第１４項記載のテレビ受信機
【請求項１６】
前記テレビ受信機において主画像表示装置内の一部にサブ画面表示するサブ画像表示手段あるいは画像表示装置とは異なるサブ画面画像表示装置からなるサブ画像表示手段を有し前記再生は前記主画像表示装置に表示し、現在のテレビ放送信号による画像はサブ画像表示手段に表示することを特徴とする特許請求範囲第１項記載のテレビ受信機
【請求項１７】
テレビ受信機において主画像表示装置内の一部に１以上のサブ画面表示するサブ画像表示手段あるいは画像表示装置とは異なる１以上のサブ画面画像表示装置からなるサブ画像表示手段、テレビ信号を所定時間蓄積する蓄積手段、ユーザーが現在受信中のテレビ受信情報に対して現時点よりさかのぼった１以上の所望の所定時間前の画像を選択する選択手段、前記選択手段により選択された１以上の画像を前記蓄積手段より呼び出し表示する画像再生手段からなり前記主画像表示手段および前記１以上のサブ画像表示手段にテレビ受信機の現在の放送および前記ユーザーの所望により選択された前記１以上の再生画像を前記主画像表示装置と前記サブ画像表示手段にユーザーの所望により振り分けて画像表示することを特徴とするテレビ受信機
【請求項１８】
前記所望の所定時間前の画像を選択する選択手段、前記選択手段により選択された１以上の画像を前記蓄積手段より呼び出し表示する画像再生手段はユーザーが現在受信中のテレビ受信情報に対して現時点よりさかのぼって所望の所定時間前から所望時間の範囲での再生を要求できる所望再生選択手段、前記所望再生選択手段に応じて前記蓄積された信号をユーザーが選択する所定時間前から所望の範囲時間再生する再生手段、前記ユーザーが選択した時間前から所望の範囲時間再生後所定の時間で現在のテレビ放送のテレビ信号に追いつくために前記再生手段は早送り再生手段を有していることを
特徴とする特許請求範囲第１７項記載のテレビ受信機
【発明の詳細な説明】
【技術分野】
【０００１】
本発明は、主として一般家庭において放送され受信されるテレビ番組の再生に関する装置に関するものである。
【背景技術】
【０００２】
現在テレビ放送は多種多様なものが出てきていて、番組自体も魅力的なものが多数ある。そういった状況下でハードディスクをビデオ装置に組み込んだビデオ装置が普及してきている。これは非常に有用で長時間の番組を格納できるだけでなくランダムアクセスが可能であるのでユーザーの見たい部分もすぐ検索することが可能となってきている。また現在放映している番組を録画しながら追いかけ再生するということも可能となってきている。特開２００１−８１４４のビデオ装置に追いかけ再生手法について開示されている。
【０００３】
しかしながらユーザーは追いかけ再生というより今見た部分をもう一度見たいという素朴な要求もある。これは例えば数秒前に旅行番組で旅館の電話番号が表示されたとかそういった場合である。こういった今見ている番組のちょっと前を簡単に見直せるといったことができる装置はなかったのが現状である。（ビデオ装置を稼動させていれば別であるが）  またさらにビデオ装置により再生している間に現在放映している番組の部分が進んでいってしまい大切な部分をリアルタイムで見逃してしまうということもあった。これはスポーツ番組などで決定的場面を再生したの後現状の試合状況を見逃したくないということが大きい。
【発明の開示】
【発明が解決しようとする課題】
【０００４】
本発明は、上記にしめしたように現在見ている番組でちょっと前を見たいときに再生できさらに現在見ている番組を見逃さないような装置を提供するものである。
【課題を解決するための手段】
【０００５】
前述の課題を解決するために本発明者らは鋭意研究の結果以下の手段をとった。すなわちテレビ受信機においてテレビ信号を所定時間蓄積する蓄積手段を有し、さらにユーザーが現在受信中のテレビ受信情報に対して現時点よりさかのぼって所望の所定時間前から所望時間範囲での再生を要求できる所望再生選択手段、この所望再生選択手段に応じて前述の蓄積された信号をユーザーが選択する所定時間前から所望時間範囲を再生する再生手段、ユーザーが選択した時間前から所望時間範囲再生後所定の時間で現在のテレビ放送のテレビ信号に追いつくために再生手段は早送り再生手段を有しいればよい。
【０００６】
そしてこの早送り再生手段は画像は早送りであり、音声は音声部分を一部間引く間引き手段あるいは、音声再生速度を早くする音声再生速度アップ手段を有していればよくこの音声再生速度アップ手段は音声ピッチが元の音声と変わらないように変換する音声ピッチ変換手段を設けておけばよい。
【０００７】
このテレビ受信機はCATV、デジタル衛星放送、デジタル地上波放送、インターネットなどのコンピュータネットワークを通じて伝送される画像ストリームの少なくとも一つを受信する手段を備えていればよい。
【０００８】
前述のテレビ信号を所定時間蓄積する蓄積手段の所定時間は１秒から５分であればよく皿好ましくは２秒から１０秒であればよい。またユーザーが現時点より所望の所定時間前からの再生を要求できる所望再生選択手段の選択する所定時間は１秒から５分であればよくさらに好ましくは２秒から１０秒であればよい。
【０００９】
前述のユーザーが選択した所定時間前から所定の時間で現在のテレビ放送のテレビ信号による映像（音声含む）に追いつくために早送りによる再生手段の所定時間は５秒から５０分であればよくさらに好ましくは１０秒から５０秒であればよい。
また前述のテレビ信号を所定時間蓄積する蓄積手段は一時的蓄積でればよい。またテレビ信号を所定時間蓄積する蓄積手段はハードディスクあるいは、固体メモリ（半導体メモリ）であればよい。
【００１０】
そしてテレビ信号を所定時間蓄積する蓄積手段はユーザーが現在視聴している番組を蓄積すればよく、ユーザーが現在の視聴している番組の数秒前の再生を要求した場合に現在視聴している番組の数秒前の再生が可能となる。さらに必要に応じてユーザーが現在受信中のテレビ受信情報に対して現時点よりさかのぼって所望の所定時間前からの再生を要求した部分を一時的蓄積ではなく不揮発性蓄積を行うようにすればユーザーは後からこのテレビ受信情報を確認することが可能となる。また前述の再生手段は画像変形手段を設けておきこの画像変形手段は画像の任意の部分を拡大あるいは縮小し画像再生できるようにしておけばユーザーが見たい部分を拡大したりしてみることが可能となる。
【００１１】
またユーザーが選択する所定時間前から再生する再生手段はユーザーの所望の範囲時間をユーザーの所望の再生速度で再生されるようにすればよく、このユーザーの所望の再生速度は通常速度再生、あるいはユーザーの所望速度の早送り再生、あるいはユーザーの所望速度のスローモーション再生であるようにすればよい。この方法によればユーザーがもう一度見たい部分をユーザーの要求のスピードで見ることが可能となる。
【００１２】
またこのテレビ受信機において画像表示装置内の一部にサブ画面表示するサブ画像表示手段あるいは画像表示装置とは異なるサブ画面画像表示装置からなるサブ画像表示手段を設けておき、前述の再生は主画像表示装置に表示し、現在のテレビ放送信号による画像はサブ画像表示手段に表示するようにすればよい。
【００１３】
テレビ受信機において主画像表示装置内の一部に１以上のサブ画面表示するサブ画像表示手段あるいは画像表示装置とは異なる１以上のサブ画面画像表示装置からなるサブ画像表示手段、テレビ信号を所定時間蓄積する蓄積手段、ユーザーが現在受信中のテレビ受信情報に対して現時点よりさかのぼった１以上の所望の所定時間前の画像を選択する選択手段、この選択手段により選択された１以上の画像を前述の蓄積手段より呼び出し表示する画像再生手段からなりこの主画像表示手段および前記１以上のサブ画像表示手段にテレビ受信機の現在の放送および前述のユーザーの所望により選択されたこの１以上の再生画像を主画像表示装置とサブ画像表示手段にユーザーの所望により振り分けて画像表示するようにすればよい。
【００１４】
この所望の所定時間前の画像を選択する選択手段、前述の選択手段により選択された１以上の画像を前述の蓄積手段より呼び出し表示する画像再生手段はユーザーが現在受信中のテレビ受信情報に対して現時点よりさかのぼって所望の所定時間前から所望時間の範囲での再生を要求できる所望再生選択手段、この所望再生選択手段に応じて前述の蓄積された信号をユーザーが選択する所定時間前から所望の範囲時間再生する再生手段、このユーザーが選択した時間前から所望の範囲時間再生後所定の時間で現在のテレビ放送のテレビ信号に追いつくためにこの再生手段は早送り再生手段を有しているようにすればよい。
【発明の効果】
【００１５】
【００１６】
以上述べたよう本発明によればユーザーがテレビ番組を見ている時に例えば電話番号が表示されたというちょっと前の部分を再生しさらに現在放映している番組を見逃さないために再生部分から現在の放映している部分まで早送りしてくれるため見逃しがなく後でもう一度見るといった無駄な時間もとられることはない。
【発明を実施するための最良の形態】
【００１７】
以下に実施例を示す。
【実施例】
【００１８】
以下図に基づいてさらに詳しく説明していく。図１は本発明の概要を示しており、１０１はテレビ信号入力部、１０２はテレビ信号蓄積部、１０３は制御部、１０４はユーザー所望再生手段、１０５はテレビ放映部である。１０１のテレビ信号入力部から入った信号は通常のユーザーがテレビを視聴している時はテレビ信号蓄積部に現在放映されているまでの所定時間分を１０２のテレビ信号蓄積部に蓄積すればよい。ここでの蓄積は制御部でテレビ信号をＭＰＥＧ２フォーマットなどに変換して行えばよい。またここでのテレビ信号蓄積部は半導体メモリで構成すればよい。もちろん用途に応じて時間等が長くなった場合にはハードディスクで構成してもよい。また同時に制御部１０３を通じてテレビ放映部１０４において現在のテレビ信号を放映しておく。次にユーザーの所望により例えば現在放映している映像の５秒前から再生しさらにこの再生速度を１０％アップで行って５５秒で現在の番組放映に追いつくような要望が出た場合はユーザー所望再生選択手段１０４から１０３の制御部に指令し、テレビ信号蓄積部１０２に蓄積してあるテレビ信号情報を１０４のテレビ放映部に送り再生する。そしてその再生は通常の速度で再生しこの部分（５秒）が終了した後再生した時間の分だけ現在のテレビ信号は進んでいるのでこの部分を１０％早送りで再生を行い現在のテレビ信号に追いつけばよい。これはテレビ信号蓄積部１０２に蓄積してあるテレビ信号情報を１０４のテレビ放映部に送り再生する際に制御部１０３で速度１０％速度アップ処理を行えばよい。もちろんユーザーが再生要求した時間の再生も１０％アップするという再生方法でもよい。
【００１９】
本実施例の場合は再生速度１０％アップなので画像は早送りで、音声もピッチコントロールを行った早送りをすればよい。ユーザーの要望により再生速度をもっと早くする場合にはその速度により画像は早送りすればよいが、音声はピッチコントロールしても聞き取れなくなる恐れがある場合などは音声を間引いてもよい。本実施例のテレビ信号蓄積部は所定時間のみ一時的に蓄積しておけばよい。また必要に応じてユーザーが再生要求した部分のみの情報を一時的蓄積ではなく不揮発性蓄積してもよい。これは例えば情報の連絡先等が再生部分にある場合等に有効である。
【００２０】
図２に通常時と再生時のテレビ信号の流れを模式的に示したが、（Ａ）は通常の放送時にはテレビ信号はテレビ放映部に直接送ると同時に所定時間分テレビ情報蓄積部に送られ蓄積している。（Ｂ）の再生時にはテレビ信号はテレビ情報蓄積部送られ蓄積されており、この蓄積データを図１の１０３の制御部を介してテレビ放映部に送信し再生している。
【００２１】
図３はユーザーが５秒前からの再生を要求し、さらに現在放映しているテレビ信号に追いつくため再生速度を１０％アップしたときのフローを示しており、まず３０１においてユーザーから５秒前からの再生要求と再生速度１０％アップの要求が入る。次に３０２において制御手段を切り替えて図１のテレビ信号蓄積部１０２から情報を読み出し５秒前からのテレビ信号を再生し、さらに現在の放映されているテレビ信号に追いつくために１０％の早送り再生を行う。（図２の（Ｂ）に切り替え）そして３０３において現在のテレビ信号の放映に追いついた時に通常モード（図２の（Ａ））に切り替えればよい。
【００２２】
次に図４に実施例の時間的流れ例の１つを示した。まず通常放映しているときにユーザーからの要求で現時点から５秒前から要求時点までの通常速度再生要求とともに現在放映中の番組に追いつくためにユーザーからの要求で現時点から５秒前から要求時点までの通常速度再生を行った後１０％の早送り再生の要求が出ている。すると図２の（Ａ）で示している通常状態から図２で示す（Ｂ）に切り替わり５秒前から要求時点まで通常再生を行いさらに要求時点から通常速度より１０％アップの早送り再生を行い現在のテレビ放送に追いつく。現在のテレビ信号の放映に追いついた時点で通常放映すなわち図２の（Ａ）に切り替える。
【００２３】
図５には他の場合の例を示す。ここではまず通常放映しているときにユーザーからの要求で現時点から５秒前から要求時点までのスロー再生要求とともに現在放映中の番組に追いつくためにユーザーからの要求で現時点から５秒前から要求時点までのスロー再生を行った後１０％の早送り再生の要求が出ている。すると図２の（Ａ）で示している通常状態から図２で示す（Ｂ）に切り替わり５秒前から要求時点までスロー再生を行いさらに要求時点から通常速度より１０％アップの早送り再生を行い現在のテレビ放送に追いつく。現在のテレビ信号の放映に追いついた時点で通常放映すなわち図２の（Ａ）に切り替える
【００２４】
図６には他の場合の例を示す。ここではまず通常放映しているときにユーザーからの要求で現時点から５秒前から要求時点までの通常速度１０％アップの早送り再生要求とともに現在放映中の番組に追いつくためにユーザーからの要求で現時点から５秒前から要求時点までの通常速度１０％アップの早送り再生を行った後１０％の早送り再生の要求が出ている。すると図２の（Ａ）で示している通常状態から図２で示す（Ｂ）に切り替わり通常速度より１０％アップの早送り再生を行い現在のテレビ放送に追いつく。現在のテレビ信号の放映に追いついた時点で通常放映すなわち図２の（Ａ）に切り替える。
【００２５】
本実施例においては、現時点より５秒前のから要求時点までの再生要求となっているがこれに限られるものではなくユーザーの要求により変更してもよい。さらに追いつくための早送り再生においては１０％アップの早送り再生を行っているがこれに限られるものではなくこちらの方もユーザーの要求により変更してもよい。
【００２６】
次に再生時に画像拡大の場合の例を示すが、その様子は図７に示したが７０１は元の画像であり、ユーザーの所望により中央部７０２を拡大の要求が出されたときに７０３に示すように７０１の中央部７０２を拡大して再生するようにすればよい。
【００２７】
さらに２画面以上の場合について説明する。図８はその様子を示していて主画面８０１の一部にサブ画面８０２を設けている。この部分に図９の（Ａ）に示すように元のテレビ信号を主画面（主テレビ放送部）にて表示し、サブ画面（サブテレビ放映部）にテレビ信号蓄積部のから再生画像を表示すればよい。この時の再生はユーザーの要望により所定時間前（例えば５秒前の画像）の動画あるいはユーザー指定の静止画等でもよい。
【００２８】
図９の（Ｂ）の場合は主画面（主テレビ放送部）にテレビ信号蓄積部からの再生画像を表示するがこの場合前述したようにユーザーの要望する画像の表示を行えばよい。例えば所定時間前からの再生を図４に示す再生（まず通常放映しているときにユーザーからの要求で現時点から５秒前から要求時点までの通常速度再生要求とともに現在放映中の番組に追いつくためにユーザーからの要求で現時点から５秒前から要求時点までの通常速度再生を行った後１０％の早送り再生の要求が出ている。）を行い、サブ画面（サブテレビ放映部）に現在のテレビ放送を表示すればよい。
【００２９】
本実施例においては主画面内にサブ画面を表示しているがこれに限られるものではなく主画面とは別の画像表示装置を設けておきそこに表示してもよくさらにサブ画像表示は１つに限られるものではなく複数設けておき、それぞれにユーザーの要求に応じて画像表示すればよい。
【図面の簡単な説明】
【００３０】
【００３１】
【図１】実施例のブロック図
【図２】実施例切り替えの模式図
【図３】実施例のフロー
【図４】実施例の時間的流れ（通常速度再生）
【図５】実施例の時間的流れ（スロー再生）
【図６】実施例の時間的流れ（早送り再生）
【図７】画像の拡大再生例
【図８】２つの画面の例
【図９】２つの画面を持つ場合のブロック図
【図１】
2006067200.tif 000003
【図２】
2006067200.tif 000004
【図３】
2006067200.tif 000005
【図４】
2006067200.tif 000006
【図５】
2006067200.tif 000007
【図６】
2006067200.tif 000008
【図７】
2006067200.tif 000009
【図８】
2006067200.tif 000010
【図９】
2006067200.tif 000011